(57)【要約】【課題】袋織りを補充する度にカセットを廃棄および購入するという無駄を省くことができる汚物処理装置用の技術を提供する。【解決手段】汚物処理装置用詰替フィルム１８は、長尺な筒状フィルム１５が延在方向に縮小するよう折り畳まれたフィルム環状体１５ｋと、切断可能な材料からなりフィルム環状体１５ｋの中央孔１５ｈを開口したままフィルム環状体１５ｋを包装して縮小状態を保持する包装シート２１とを備える。かかる汚物処理装置用詰替フィルム１８は、汚物処理装置１１の汚物投入口１６に直接に装填される。【選択図】図７
2011057383.tif 000002
【特許請求の範囲】
【請求項１】
筒状フィルムで汚物を包んで処理する汚物処理装置に取り付けられる、詰替用のフィルムであって、
長尺な筒状フィルムが延在方向に縮小するよう折り畳まれたフィルム環状体と、
切断可能な材料からなり、前記フィルム環状体の中央孔を開口したまま該フィルム環状体を包装して前記縮小状態を保持する包装材とを備える、汚物処理装置用詰替フィルム。
【請求項２】
前記包装材には、該包装材を破断除去するための切り込み線が形成される、請求項１に記載の汚物処理装置用詰替フィルム。
【請求項３】
前記包装材は、前記フィルム環状体の外周面、軸線方向一方端、および他方端を覆い、内周面を露出する、請求項１または２に記載の汚物処理装置用詰替フィルム。
【請求項４】
前記包装材は、紙、繊維、または樹脂フィルムからなる、請求項１〜３のいずれかに記載の汚物処理装置用詰替フィルム。
【請求項５】
前記包装材は、前記フィルム環状体の周方向所定間隔で巻き付けられた複数のバンドである、請求項１または２に記載の汚物処理装置用詰替フィルム。
【請求項６】
筒状フィルムで汚物を包んで処理する汚物処理装置に取り付けられ、請求項１〜５のいずれかに記載の汚物処理装置用詰替フィルムを収納するための、収納用カセットであって、
前記フィルム環状体の中央孔に差し込まれる円筒部と、前記円筒部の軸線方向一方端に形成されて前記フィルム環状体が抜け出ることを防止する外向きフランジとを備える、詰替フィルム収納用カセット。
【請求項７】
円環形状であって、前記円筒部の軸線方向他方端と着脱可能に連結し、前記フィルム環状体が抜け出ることを防止する押さえ部材をさらに備え、
前記フィルム環状体から引き出される筒状フィルムが、前記押さえ部材を乗り越えて前記円筒部の中央孔に挿通される、請求項６に記載の詰替フィルム収納用カセット。
【請求項８】
自由に屈曲する素材により管状に形成されて、請求項６または７に記載の詰替フィルム収納用カセットの外周と、前記詰替フィルム収納用カセットから引き出されフィルム収納用カセットの中央孔を通過する前記筒状フィルムの外壁とを包囲するための持ち運びが可能な汚物収納袋であって、
長手方向一方端および他方端がそれぞれ開閉可能であり、
前記長手方向一方端に前記詰替フィルム収納用カセットが着脱可能に取り付けられ、
前記長手方向一方端に対し他方端を１回転以上ねじることが可能な長さを有する、携帯用汚物処理袋。
【請求項９】
前記管状に形成された汚物収納袋の長さを規制する留め具をさらに有する、請求項８に記載の携帯用汚物処理袋。
【発明の詳細な説明】
【技術分野】
【０００１】
本発明は使用済みの幼児用おむつのような汚物を廃棄するための汚物処理装置に関し、特に交換・詰替・携帯に好適な部品に関する。
【背景技術】
【０００２】
使用済み幼児用おむつのような汚物は不快な臭いを発することから、家庭内において衛生的かつ効率よく廃棄されることが要求される。かかる要求を実現するための汚物処理装置として、特開２００９−９６６４２号公報（特許文献１）に開示されたごみ貯蔵機器が知られている。特許文献１に記載のごみ貯蔵機器は、本体容器と、本体容器の上端に取り付けられた環状のカセットとを備える。環状のカセットには、袋織りが折り畳まれて収納されている。使用者は、カセットから袋織りを引き出し、かかる袋織りに汚物を投入して、本体容器の内部に汚物を貯蔵するというものである。
【先行技術文献】
【特許文献】
【０００３】
【特許文献１】特開２００９−９６６４２号公報
【発明の概要】
【発明が解決しようとする課題】
【０００４】
ところで、袋織りが次々に引き出されることによってカセット内部が空になると、使用者は、ごみ貯蔵機器から空になったカセットを取り外し、かかるカセットを新品に交換して袋織りを補充することが常套である。なお、使用者のなかには交換作業の不慣れな者もいるため、カセットは定型化されている。
【０００５】
すなわちカセットは、本体容器に容易に着脱できる形状に工夫されている。また、カセットの製造工場において、袋織りは引き出しやすいようにカセットで好適に収納される。またカセット自身の形状も、使用者が袋織りを引き出しやすいように工夫が凝らされている。そしてエンドユーザである使用者は、市場で販売されている袋織り収納カセットを市場で購入して交換作業を行う。
【０００６】
しかし、上記従来のようなごみ貯蔵機器にあっては、以下に説明するような問題を生ずる。つまり、カセット自身は耐久性のある樹脂材料で形成されているにもかかわらず、１回限りの使用で廃棄されていた。かかるカセットの廃棄は、ごみの減量化が唱えられる昨今において望ましいことではない。また使用者は、袋織りを使いきる度に新品のカセットを購入しなければならなかった。このため、コスト上改善の余地があった。
【０００７】
本発明は、上述の実情に鑑み、カセット交換により袋織りをごみ貯蔵機器に補充するという従来技術とは全く異なる、新規な着想に基づくものである。本発明は、袋織りを補充する度にカセットを廃棄および購入するという無駄を省くことができる技術を提供することを目的とする。
【課題を解決するための手段】
【０００８】
この目的のため本発明による汚物処理装置用詰替フィルムは、筒状フィルムで汚物を包んで処理する汚物処理装置に取り付けられる、詰替用のフィルムであることを前提とする。そして、汚物処理装置用詰替フィルムは、長尺な筒状フィルムが延在方向に縮小するよう折り畳まれたフィルム環状体と、切断可能な材料からなり、フィルム環状体の中央孔を開口したまま該フィルム環状体を包装して縮小状態を保持する包装材とを備える。
【０００９】
かかる本発明によれば、フィルム環状体がカセットではなく包装材で包装されることから、汚物処理装置の使用者は汚物処理装置用詰替フィルムを購入すればよく、筒状フィルムの補充の度にカセットを購入しなくてよい。したがって、従来のようにカセットを何度も廃棄および購入するという無駄を省くことができる。
【００１０】
しかも、フィルム環状体の中央孔は開口したままであることから、汚物処理装置の使用者は汚物処理装置用詰替フィルムを汚物処理装置に容易にセットすることができる。
【００１１】
包装材は、手の力によって破断可能な材料から作られたものであれば特に限定されない。包装材の形状は例えば、シートや、糸や、帯や、手で容易に破壊可能なブロックが考えられる。ここで好ましくは、包装材には、該包装材を破断除去するための切り込み線が形成される。かかる実施形態によれば、汚物処理装置用詰替フィルムを汚物処理装置にセットした後、使用者が容易に包装材を破断・除去することができる。
【００１２】
本発明は一実施形態に限定されるものではないが、包装材は、フィルム環状体の外周面、軸線方向一方端、および他方端を覆い、内周面を露出してもよい。かかる実施形態によれば、包装材がフィルム環状体を軸線方向一方および他方から圧縮して、フィルム環状体をコンパクトな形状に保持することができ、汚物処理装置用詰替フィルムの小型化を図ることができる。
【００１３】
包装材の材質は、紙、繊維、または樹脂フィルムからなる。かかる実施形態によれば、汚物処理装置用詰替フィルムを汚物処理装置にセットした後、使用者が容易に包装材を破断・除去することができる。
【００１４】
あるいは他の実施形態として、包装材は、フィルム環状体の周方向所定間隔で巻き付けられた複数のバンドである。かかる実施形態によれば、包装材を一層簡易にすることができ、コスト上一層有利である。
【００１５】
本発明の汚物処理装置用詰替フィルムは、汚物処理装置に直接にセットされてもよい。あるいは、繰り返し使用可能な詰替フィルム収納用カセットに装填されて、かかる詰替フィルム収納用カセットを汚物処理装置にセットしてもよい。
【００１６】
このような本発明になる詰替フィルム収納用カセットは、筒状フィルムで汚物を包んで処理する汚物処理装置に取り付けられ、上述した汚物処理装置用詰替フィルムを収納するための、収納用カセットである。そして、詰替フィルム収納用カセットはフィルム環状体の中央孔に差し込まれる円筒部と、円筒部の軸線方向一方端に形成されてフィルム環状体が抜け出ることを防止する外向きフランジとを備える。
【００１７】
かかる本発明によれば、詰替フィルム収納用カセットを繰り返し使用することが可能となる。したがって、従来のようにカセットを何度も廃棄および購入するという無駄を省くことができる。
【００１８】
好ましい実施形態として、詰替フィルム収納用カセットは、円環形状であって円筒部の軸線方向他方端と着脱可能に連結し、フィルム環状体が抜け出ることを防止する押さえ部材をさらに備える。そして、フィルム環状体から引き出される筒状フィルムが、押さえ部材を乗り越えて円筒部の中央孔に挿通される。かかる実施形態によれば、フィルム環状体を軸線方向両側から移動不能に保持することから、フィルム環状体が詰替フィルム収納用カセットから飛び出す懸念を解消することができる。
【００１９】
本発明の詰替フィルム収納用カセットは、屋内に静置される汚物処理装置にセット可能であることは勿論、屋外へ持ち出し可能な携帯用汚物処理袋にもセット可能である。
【００２０】
本発明の携帯用汚物処理袋は、自由に屈曲する素材により管状に形成されて、上述した詰替フィルム収納用カセットの外周と、詰替フィルム収納用カセットから引き出されフィルム収納用カセットの中央孔を通過する筒状フィルムの外壁とを包囲するための持ち運びが可能な袋である。そして、長手方向一方端および他方端がそれぞれ開閉可能であり、長手方向一方端に詰替フィルム収納用カセットが着脱可能に取り付けられ、長手方向一方端に対し他方端を１回転以上ねじることが可能な長さを有する。
【００２１】
かかる本発明によれば、屋外においても、屋内と同様に、汚物を衛生的かつ効率よく廃棄することができる。
【００２２】
好ましくは、管状に形成された汚物収納袋の長さを規制する留め具をさらに有する。かかる実施形態によれば、汚物収納袋を任意の長さに調整することが可能となり、持ち運びの利便性が向上する。
【発明の効果】
【００２３】
このように本発明の汚物処理装置用詰替フィルムは、長尺な筒状フィルムが延在方向に縮小するよう折り畳まれたフィルム環状体と、切断可能な材料からなりフィルム環状体の中央孔を開口したまま該フィルム環状体を包装して縮小状態を保持する包装材とを備えることから、使用者は、汚物処理装置用詰替フィルムを汚物処理装置に繰り返し使用することができる。したがって、カセットを廃棄および購入する必要がなく、ごみの減量化およびコスト低減を図ることができる。
【図面の簡単な説明】
【００２４】
【図１】本発明の１実施例になる汚物処理装置用詰替フィルムおよび詰替フィルム収納用カセットが取り付けられる汚物処理装置を示す全体斜視図である。
【図２】図１に示す汚物処理装置の側方断面図である。
【図３】図１に示す汚物処理装置の側方断面図である。
【図４】図１に示す汚物処理装置の収納用カセットおよびフィルム環状体を取り出して示す分解斜視図である。
【図５】同実施例の収納用カセットを示す斜視図である。
【図６】同実施例の詰替フィルムを示す斜視図である。
【図７】図６に示す詰替フィルムの縦断面図である。
【図８】図５に示す詰替フィルム収納用カセットに、図６に示す詰替フィルムを装填した状態を示す斜視図である。
【図９】図８に示す詰替フィルムから包装シートを除去した状態を示す斜視図である。
【図１０】本発明の他の実施例になる詰替フィルムを示す斜視図である。
【図１１】図１０に示す詰替フィルムの縦断面図である。
【図１２】本発明の１実施例になる汚物処理袋を示す全体斜視図である。
【図１３】フィルム収納用カセットに外側リングを取り付ける様子を示す斜視図である。
【図１４】同実施例の汚物処理袋に詰替フィルムおよび詰替フィルム収納用カセットを取り付ける様子を示す斜視図である。
【図１５】同実施例の汚物処理袋の使用状態を示す斜視図である。
【図１６】同実施例の汚物処理袋からフィルムおよび汚物を引き出す様子を示す側方断面図である。
【図１７】同実施例の汚物処理袋をコンパクトに縮小した状態を示す斜視図である。
【発明を実施するための形態】
【００２５】
以下、本発明の実施の形態を、図面に示す実施例に基づき詳細に説明する。
【００２６】
図１は、本発明の１実施例になる汚物処理装置用詰替フィルムおよび詰替フィルム収納用カセットが取り付けられる汚物処理装置を示す全体斜視図であり、フィルム環状体および詰替フィルム収納用カセットを取り出して示す。図２および図３は、図１に示す汚物処理装置の側方断面図であり、図２は密閉用扉の閉扉状態を、図３は密閉用扉の開扉状態を示す。
【００２７】
汚物処理装置１１は、使用済みのおむつ等の汚物Ｄが投入される汚物投入口１６と、汚物投入口１６から下方へ延び下端が結び目２６によって閉じた筒状フィルム１５と、汚物投入口１６から投入された汚物Ｄを筒状フィルム１５とともに受け入れる汚物収納本体１３と、上方から汚物投入口１６に被さる蓋体２３とを備える。蓋体２３は、蓋体ヒンジ３０を支点として回動起立し、汚物投入口１６を開放する。
【００２８】
汚物投入口１６には長尺な筒状フィルム１５が取り付けられている。筒状フィルム１５は汚物投入口１６の口元を覆うようにして下方へ延びている。なお汚物投入口１６には後述するように筒状フィルム１５が繰り出し可能に収納される。汚物投入口１６は円筒部２７の内周壁によって形成されている。円筒部２７の外周壁には、筒状フィルム１５が延在方向に縮小するよう折り畳まれたフィルム環状体１５ｋが同軸に取り付けられる。円筒部２７と、円筒部２７の軸線方向一方端に設けられた押さえフランジ２９と、円筒部２７の軸線方向他方端に設けられた外向きフランジは、収納用カセット１４の構成要素である。
【００２９】
フィルム環状体１５ｋを収納する収納用カセット１４は、筒状フィルム１５の詰替に供される。収納用カセット１４は図１に矢印で示すように、収納本体上部１９に形成されたリング形状の取り付け部１９ｒに着脱可能に嵌装される。取り付け部１９ｒは収納用カセット１４の外向きフランジと接触し、収納用カセット１４を下方から支持する。また取り付け部１９ｒは汚物処理装置１１の前面側に傾斜していることから、汚物投入口１６も上方かつ汚物処理装置１１の前面側に傾斜して指向している。背面側が上側になり前面側が下側になるよう傾斜した取り付け部１９ｒのうち、取り付け部１９ｒの前面側かつ下側になる領域の直下には密閉用扉受部３５が配置される。
【００３０】
汚物収納本体１３は筒状フィルム１５内部に廃棄される汚物Ｄを貯蔵する中空の容器であり、収納本体下部１７と収納本体上部１９とに分割されている。収納本体下部１７は下端側に底部１７ｂを有し上端側に開口部１７ｃを有する。収納本体上部１９は、下端側で収納本体下部１７の上端の開口部１７ｃを覆い、上端部に汚物投入口１６を有する。
【００３１】
収納本体上部１９は本体ヒンジ３１を介して収納本体下部１７に回動可能に取り付けられている。本体ヒンジ３１は汚物処理装置１１の背面側に配置される。収納本体上部１９を回動させて背後へ倒すことにより、開口部１７ｃを開くことができる。
【００３２】
また収納本体上部１９の内部には、図２に示すように、汚物投入口１６と貯蔵された汚物Ｄとの間で筒状フィルム１５を挟み込み、筒状フィルム１５内の上方空間と下方空間とを遮断する開閉式の密閉用扉３３および密閉用扉受部３５が取り付けられている。密閉用扉３３は、収納本体上部１９の内部に設けられたガイド部材３７に案内されて進退動する。密閉用扉３３は、ばね３９によって密閉用扉受部３５に向かって付勢されており、常態で密閉用扉受部３５と係合するよう閉扉している。
【００３３】
汚物を廃棄する場合、図３に示すように汚物処理装置１１の使用者はまず蓋体２３を開き、次に汚物投入口１６から筒状フィルム１５の内部に汚物Ｄを投入する。次に使用者は、汚物投入口１６に手を入れ、筒状フィルム１５を汚物Ｄとともに押し下げて密閉用扉３３を押し開く。下方へ押し込まれた汚物Ｄは筒状フィルム１５とともに開扉した密閉用扉３３と密閉用扉受部３５との間を通過する。密閉用扉３３および密閉用扉受部３５を通過した汚物Ｄは、筒状フィルム１５を伝って下方へ進み、汚物収納本体１３に蓄積される。使用者が密閉用扉３３および密閉用扉受部３５よりも下方に汚物を落とし、汚物投入口１６から手を抜くと密閉用扉３３が直ちに閉扉して筒状フィルム１５を挟み込む。また、新しい筒状フィルム１５が汚物投入口１６から繰り出され、汚物投入口１６には常に新しい筒状フィルム１５部分が供給される。
【００３４】
筒状フィルム１５の内部に使用済みおむつ等の汚物を廃棄していくと、筒状フィルム１５に汚物が蓄積されていき、円筒部２７の外径側から筒状フィルム１５が次々と繰り出され、押さえフランジ２９を乗り越えて汚物投入口１６に入り下方に伸びていくために、汚物を連続的に汚物収納本体１３内へ廃棄することが可能となる。
【００３５】
筒状フィルム１５は消耗品であり、汚物投入口１６に取り付けられた筒状フィルム１５がすべて使用されると、新しいフィルム環状体１５ｋが汚物投入口１６の外周に補充される。
【００３６】
図４は収納用カセットおよびフィルム環状体を取り出して示す分解斜視図である。図５は、同実施例の収納用カセットを示す斜視図である。汚物処理装置１１には、汚物投入口１６を形成するとともにフィルム環状体１５ｋを収納する収納用カセット１４が着脱可能に取り付けられる。この収納用カセット１４は収納本体上部１９に着脱可能に取り付けられ、汚物投入口１６の外郭を形成する。収納用カセット１４は、容易に変形しない樹脂で形成され、外周壁がフィルム環状体１５ｋの中央孔に挿通されるとともに内周壁が汚物投入口１６を形成する円筒部２７と、円筒部２７の下端部と一体に結合する外向きフランジ２７ｆと、円筒部２７の上端側に嵌め込み固定されるフランジ形状のフィルム押さえフランジ２９とを有する。フィルム押さえフランジ２９の外径は、フィルム環状体１５ｋの外径よりも小さい。これにより、筒状フィルム１５がフィルム押さえフランジ２９を無理なく乗り越えることができる。
【００３７】
図６は、収納用カセットに取り付けられる詰替フィルムを示す斜視図である。図７は、図６に示す詰替フィルムの縦断面図である。詰替フィルム１８は、長尺な筒状フィルム１５が延在方向に縮小するよう折り畳まれたフィルム環状体１５ｋと、フィルム環状体１５ｋの中央孔１５ｈを開口したままフィルム環状体１５ｋを包装して当該環状体の形態を保持する包装シート２１とを備える。
【００３８】
フィルム環状体１５ｋは、長尺な筒状フィルム１５が何重にも蛇腹状に折り畳んで形成され、径方向に厚みを備えた円筒の形態を呈する。
【００３９】
包装シート２１は厚紙で形成された包装材であり、フィルム環状体１５ｋの外周面を覆う円筒部２１ａと、フィルム環状体１５ｋの軸線方向一方端を覆う環状の一方端部２１ｂと、フィルム環状体１５ｋの軸線方向他方端を覆う環状の他方端部２１ｃとを有する。これによりフィルム環状体１５ｋの内周面１５ｎが露出する。
【００４０】
図８は、本実施例の詰替フィルム収納用カセットに、本実施例の詰替フィルムを装填した状態を示す斜視図である。図９は、図８に示す詰替フィルムから包装シートを除去した状態を示す斜視図である。
【００４１】
詰替フィルム１８の軸線方向寸法は、収納用カセット１４の軸線方向寸法、すなわちフィルム押さえフランジ２９から外向きフランジ２７ｆまでの距離、よりも小さくされている。したがって使用者は、詰替フィルム１８を無理なく収納用カセット１４に装填することができる。
【００４２】
詰替フィルム１８の包装シート２１には、一方端部２１ｂから円筒部２１ａを経て他方端部２１ｃまで延びる切り込み線２１ｋが形成される。切り込み線２１ｋは、ミシン目であり、包装シート２１の周方向等間隔に設けられる。使用者が、詰替フィルム１８を収納用カセット１４に装填した後、切り込み線２１ｋに沿って包装シート２１を破断して除去すると、図９に示すようにフィルム環状体１５ｋが現れる。
【００４３】
そしてフィルム環状体１５ｋは、フィルム押さえフランジ２９から外向きフランジ２７ｆまでの間に収納される。なお、包装シート２１を除去する際、フィルム環状体１５ｋが軸線方向に若干膨張する場合があるが、包装シート２１が除去されてもフィルム環状体１５ｋは、フィルム押さえフランジ２９と外向きフランジ２７ｆとによって軸線方向に抜け留めされており縮小状態を保持する。
【００４４】
かくして、収納用カセット１４へのフィルム環状体１５ｋの装填が完了する。これら収納用カセット１４およびフィルム環状体１５ｋは、図１に沿って前述したように収納本体上部１９に取り付けられる。収納用カセット１４はフィルム環状体１５ｋが使用し尽くされて空になる度に収納本体上部１９から取りだされる。そして、新しい詰替フィルム１８が装填されて、繰り返し収納本体上部１９に取り付けられる。
【００４５】
ここで付言すると、汚物処理装置１１に詰替フィルム１８をより効率的にセットするため、本体上部１９の取り付け部１９ｒには、円筒部２７および外向きフランジ２７ｆを取り付けたままにしておき、フィルム押さえフランジ２９のみを汚物処理装置１１に着脱可能とする。そして詰替フィルム１８をセットする際は、まず蓋体２３を開き、次に押さえフランジ２９を取り外し、本体上部１９に固定された円筒部２７に詰替フィルム１８を差し込む。この後、押さえフランジ２９を円筒部２７に取り付け固定し、次に包装シート２１を破断除去する。かくして、汚物処理装置１１へ詰替フィルム１８を直接にセットすることができる。
【００４６】
かかる本実施例の詰替フィルム１８によれば、長尺な筒状フィルム１５が延在方向に縮小するよう折り畳まれたフィルム環状体１５ｋと、厚紙からなりフィルム環状体１５ｋの中央孔１５ｈを開口したままフィルム環状体１５ｋを包装して縮小状態を保持する包装シート２１とを備えることから、使用者は、収納用カセット１４を汚物処理装置１１に繰り返し使用することができる。したがって、収納用カセット１４を廃棄したり、改めて購入する必要がなく、ごみの減量化およびコスト低減を図ることができる。
【００４７】
あるいは図示はしなかったが、変形例として、円筒部２７および外向きフランジ２７ｆが収納本体上部１９に固着され、フィルム押さえフランジ２９のみが収納本体上部１９に対し着脱可能に設けられていてもよい。かかる変形例によれば、筒状フィルム１５が使用し尽くされる度に詰替フィルム１８を収納本体上部１９に装填し、包装シート２１を破断除去すればよく、ごみの減量化およびコスト低減を図ることができる。
【００４８】
なお包装シート２１は厚紙以外の紙で形成されてもよいし、布のような繊維または樹脂フィルムで形成されてもよい。
【００４９】
また本実施例の収納用カセット１４は、詰替フィルム１８を収納するために用いられる。そして収納用カセット１４は、フィルム環状体１５ｋの中央孔１５ｈに差し込まれる円筒部２７と、円筒部２７の軸線方向一方端に形成されてフィルム環状体１５ｋが抜け出ることを防止する外向きフランジ２７ｆと、円環形状であって、円筒部２７の軸線方向他方端と着脱可能に連結し、フィルム環状体１５ｋが抜け出ることを防止するフィルム押さえフランジ２９とを備える。フィルム環状体１５ｋから引き出される筒状フィルム１５が、押さえフランジ２９を乗り越えて円筒部２７の中央孔になる汚物投入口１６に挿通される。かかる本実施例によれば、フィルム環状体１５ｋの縮小状態を保持しつつ、筒状フィルム１５の繰り出しを可能にする。
【００５０】
次に本発明の他の実施例を説明する。図１０は本発明の他の実施例になる詰替フィルムを示す斜視図であり、図１１は他の実施例になる詰替フィルムを示す縦断面図である。他の実施例につき、上述した実施例と共通する構成については同一の符号を付して説明を省略し、異なる構成について以下に説明する。他の実施例では、フィルム環状体１５ｋにバンド２２が周方向所定間隔に巻き付けられている。バンド２２は、フィルム環状体１５ｋの縮小状態を保持する包装シートである。バンド２２にはミシン目の切り込み線２１ｋがそれぞれ形成されている。
【００５１】
かかる他の実施例によれば、詰替フィルム１８の包装が簡易となり、コストを一層低減することができる。また筒状フィルム１５を使い尽くして収納用カセット１４内のフィルム環状体１５ｋがなくなると、使用者は、新しい詰替フィルム１８のみを準備すればよく、収納用カセット１４を汚物処理装置１１に繰り返し使用することができる。したがって、収納用カセット１４を廃棄したり、改めて購入する必要がなく、ごみの減量化およびコスト低減を図ることができる。
【００５２】
ところで本実施例の汚物処理装置１１は、上端に汚物投入口１６を形成する円筒部２７を有し、この円筒部２７を取り囲むように円筒状に圧縮したフィルム環状体１５ｋを収容するフィルム収納用カセット１４を備える。また汚物処理装置１１は、フィルム収納用カセット１４を上部に配し、前記汚物投入口内に繰り出された前記フィルム内に投入された汚物を前記フィルムとともに受け入れる汚物収納本体１３と、フィルム収納用カセット１４と汚物収納本体下部１７との間で筒状フィルム１５を挟み込んで上下の空間を遮断する開閉式の密閉機構とを備える。
【００５３】
この密閉機構は密閉用扉３３と密閉用扉受部３５とを有する。そして密閉用扉３３および密閉用扉受部３５が、密閉用扉３３が閉扉して密閉用扉受部３５と係合して筒状フィルム１５を挟み込んだときに、筒状フィルム１５における挟み込み部分を側方へ屈曲させる。具体的には密閉用扉３３および密閉用扉受部３５が、挟み込み部分の上端と下端とを結ぶ仮想直線を側方へ屈曲させる凸凹形状を有する。
【００５４】
かかる本実施例によれば、筒状フィルム１５の内部に廃棄貯蔵された汚物Ｄと汚物投入口１６との遮断を、密閉用扉３３および密閉用扉受部３５による筒状フィルム１５の挟み込みによって実現している。また、筒状フィルム１５における挟み込み部分の形状が直線的ではなく仮想直線に対して側方に屈曲しているために、屈曲部において筒状フィルム１５に大きなテンションがかかる。このテンションによって臭い漏れの原因となる筒状フィルム内部の経路が狭められ、臭い伝達の遮断性を向上させることが可能である。
【００５５】
また本実施例では、密閉用扉３３が閉扉し密閉用扉受部３５と係合して形成する密閉用扉３３と密閉用扉受部３５との当接面が、異なる法線をもつ二以上の平面を有する。これにより、挟み込み部分の屈曲部が確実に形成されて、臭いの遮断性をより向上させることができる。
【００５６】
また本実施例では、密閉用扉３３の挟み込み部分が密閉用扉受部３５の挟み込み部分に対し近づく閉方向および遠ざかる開方向に開閉動作するものであり、開閉方向を包含する鉛直平面で密閉用扉および密閉用扉受部の挟み込み部分を破断してみた密閉用扉３３と密閉用扉受部３５との当接面のうち、少なくとも２面がＬ字状コーナー部を形成するように交差する。これにより、挟み込みによって筒状フィルム１５がＬ字状に屈曲される箇所が少なくとも一箇所形成される。このＬ字状コーナー部において筒状フィルム１５に下方の汚物Ｄの重量が作用して、テンションが掛かり、筒状フィルム内部の経路を狭めて臭いの遮断性をより向上させることができる。さらに、密閉用扉３３および密閉用扉受部３５を金型成型にて量産する場合、Ｌ字形状は成型が容易であり、製品の量産化に利点を有する。
【００５７】
また本実施例では、密閉用扉３３を閉方向へ向けて付勢するばね３９をさらに備えることから、筒状フィルム１５を挟み込む力が大きくなり、臭いの遮断性をより向上させることができる。なお、ばね３９は弾性部材であれば他の形態であってもよい。
【００５８】
また本実施例では、屋内の床上に載置される汚物処理装置１１において、円筒部２７の軸線が鉛直面と所定の角度で交差するように、汚物収納本体１３に支持されることから、母親が床上に座りながらおむつを交換した後に、座ったまま汚物Ｄを汚物投入口１６へ廃棄することが容易となる。
【００５９】
また本実施例では、円筒部２７の軸線が鉛直面と所定の角度で交差して円筒部２７の前方が下がり後方が上がるように汚物収納本体１３に傾斜して支持され、密閉用扉３３と密閉用扉受部３５とが係合して形成する当接面が、傾斜している外向きフランジ２７ｆの下面における下方側領域の近傍に配置されることから、汚物投入口１６から繰り出し可能に収納されている筒状フィルム１５が、傾斜して支持されている円筒部１６の内部を鉛直下方へと通過して、汚物Ｄと共に汚物収納本体１３内部に収納されている。ここで、筒状フィルム１５の上側は筒状フィルム１５の下側内部に廃棄貯蔵された汚物Ｄの重力により鉛直下方へと引張られる。
【００６０】
この重力と円筒部２７の傾斜によって、円筒フィルム１５は前方側へ寄せられる。このように自然と寄せられた外向きフランジ２７ｆの下面における下方側領域の近傍において筒状フィルム１５が挟み込まれるように、密閉機構が配設されている。これにより、密閉機構によるフィルムの挟み込みを確実にして、遮断の効率性を上げることができる。
【００６１】
また本実施例では、密閉用扉３３が水平面と交差する所定の角度で支持され、密閉用扉受部３５に向かって進退動することから、母親が座りながらおむつを交換した後に、座ったまま密閉用扉３３を押し開くことが容易となる。したがって、汚物Ｄを汚物処理装置１１へ容易に投入廃棄することができる。
【００６２】
本発明の収納用カセット１４は、詰替フィルム１８が装填されて、屋内の床上に載置される汚物処理装置１１に取り付けられるばかりでなく、屋外に持ち出すことが可能な、携帯用の汚物処理袋にも取り付けられる。
【００６３】
図１２は、本発明の１実施例になる汚物処理袋を示す全体斜視図である。図１３および図１４は、同実施例の汚物処理袋への収納用カセットの取り付け方法を示す説明図である。図１５は、同実施例の汚物処理袋の使用状態を示す斜視図である。図１６は、同実施例の汚物処理袋からフィルムおよび汚物を引き出す様子を示す側方断面図である。図１７は、同実施例の汚物処理袋をコンパクトに縮小した状態を示す斜視図である。
【００６４】
汚物処理袋５１は、化学繊維など、自由に屈曲する布地により管状に形成される。この布地は臭気を遮断する素材である。あるいはこの布地は臭気を遮断する素材でコーティングされる。そして両端には蓋部５２，５３がそれぞれ設けられて汚物処理袋の内部空間を封止する。また汚物処理袋５１の両端にはファスナー５４，５５がそれぞれ設けられる。ファスナー５４，５５を開けば、蓋部５２，５３をそれぞれめくり汚物処理袋の両端部を開閉することができる。一方端のファスナー５４は、蓋部５２をめくって汚物投入口を開くものである。蓋部５２の表面には、持ち運びに便利な把手５６が縫着されている。汚物処理袋の一方端部にはさらに、固定ベルト５８が巻き掛けられている。周方向に延びる固定ベルト５８には、四角リングの留め部材６０が周方向に間隔をあけて２箇所取り付けられる。
【００６５】
汚物処理袋５１のうち固定ベルト５８が取り付けられた箇所の内周面は、図９に沿って前述したフィルム環状体１５ｋおよび収納用カセット１４を包囲する。具体的には図１３に示すように、まずフィルム環状体１５ｋから筒状フィルム１５の先端が引き出され、かかる筒状フィルム１５の先端が押さえフランジ２９を乗り越えて円筒部２７の中央孔（汚物投入口１６）を通過し、当該先端に結び目２６が設けられる。次に、図１３に矢印で示すように、フィルム環状体１５ｋの外周に外側リング２４を被せ、外側リング２４の軸線方向一方端２５を外向きフランジ２７ｆの外縁に嵌合させる。外側リング２４はフィルム環状体１５ｋの外周を包囲するために充分な内径寸法を有する両端開口の円筒体であり、耐久性のある丈夫な樹脂で成形される。外側リング２４の外周面には、周方向に延びる互いに平行な２列のリブ２８が形成されている。これら２列のリブの距離は、固定ベルト５８の幅寸法と一致する。
【００６６】
次に図１４に示すように、ファスナー５４を開いて蓋部５２をめくり上げて、詰替フィルムが装填されて外側リング２４と嵌合した収納用カセット１４を、中央孔（汚物投入口１６）を通過した筒状フィルム１５および結び目２６とともに、矢印で示す方向に差し込み、汚物処理袋５１の中に取り付ける。次に固定ベルト５８を締めて、フィルム環状体１５ｋおよび収納用カセット１４を汚物処理袋５１の一方端部に確りと取り付ける。固定ベルト５８は、汚物収納袋５１の布地を介して、２列の平行なリブ２８，２８の間に係止して、外側リング２４の外周に巻き付く。これにより汚物処理袋５１は、フィルム環状体１５ｋおよび収納用カセット１４の外周と、収納用カセット１４から引き出されフィルム収納用カセット１４の中央孔（汚物投入口１６）を通過する筒状フィルム１５の外壁とを包囲する。
【００６７】
なお、他の実施形態として、外側リング２４を省略し、外向きフランジ２７ｆを汚物収納袋５１の内壁に着脱可能に直接取り付け固定してもよい。
【００６８】
あるいは他の実施形態として、外側リング２４を省略し、包装シート２１を破断除去する際に、包装シート一方端部２１ｂ（図７）のみを除去し、包装シート円筒部２１ａを残したままにしてもよい。そして固定ベルト５８が包装シート円筒部２１ａの外壁に巻き付くことにより、フィルム環状体１５ｋおよび収納用カセット１４を汚物処理袋５１の中に取り付けてもよい。
【００６９】
収納用カセット１４から汚物投入口１６を通過して引き出された円筒フィルム１５先端の結び目２６は、汚物処理袋５１の一方端から汚物処理袋５１の内部を通って汚物処理袋５１の他方端に達する。これにより円筒フィルム１５の内部に使用済みおむつなどの汚物を廃棄貯蔵することができる。
【００７０】
ファスナー５４を閉じている間、蓋部５２は汚物投入口１６を封止する。したがって、汚物の臭気が汚物処理袋５１の外へ漏れることがない。
【００７１】
本実施例の汚物処理袋５１は、屋外への携帯の用途に好適であり、衛生的かつ効率的に、使用済みおむつ等の汚物を廃棄することができる。汚物処理袋５１は、長手方向一方端に対し他方端を１回転以上ねじることが可能な長さを有する。まず使用者は、図１５に示すように汚物処理袋５１を１回転以上ねじり、既に汚物処理袋５１に投入された汚物から臭気が出ることを防止する。次にファスナー５４を開き汚物投入口１６から汚物を投入する。最後にファスナー５４を閉めて、汚物の廃棄が完了する。本実施例の汚物処理袋によれば、汚物を連続的に廃棄することができる。汚物は筒状フィルム１５で覆われ、さらに汚物処理袋５１で密封されており、衛生的である。
【００７２】
汚物処理袋５１が汚物で満たされると、図１６に示すように他端側のファスナー５５を開き、汚物Ｄを筒状フィルム１５とともに取り出す。そして、汚物Ｄを汚物処理袋５１の他端からすべて引き出して新しく結び目を作り、結び目で筒状フィルム１５を切断する。これにより、汚物処理袋５１の内部は空になり、再び汚物の廃棄に使用することができる。なお、このとき新しい筒状フィルム１５が収納用カセット１４から繰り出されるため、常に衛生的である。なお、汚物処理袋５１の全長が長いほど、多くの汚物を蓄えることができる。
【００７３】
使用者は、図１７に示すように、空になった汚物処理袋５１を、コンパクトに縮小して持ち運ぶことができる。すなわち、蓋部５３には、留めバンド６２が縫着されている。留めバンド６２は、円形の蓋部５３の表面外縁に輻射状に配列される。本実施形態では留めバンド６２が周方向に間隔をあけて２本設けられる。また留めバンド６２の中央部には１対の面ファスナー６４が縫着されている。
【００７４】
留め部材６０および留めバンド６２は汚物収納袋５１の長さを規制する留め具である。これら留めバンド６２を四角リングの留め部材６０にそれぞれ挿通し、留めバンド６２の先端６２ｓを折り返して面ファスナー６４を貼り合わせると、汚物処理袋５１をコンパクトに縮小させることができる。この結果、使用者は、汚物処理袋５１を好適なサイズにして持ち運ぶことができる。また、面ファスナー６４を貼り合わせ位置を選定することにより、汚物収納袋を任意の長さに調整することが可能となり、持ち運びの利便性が向上する。
【００７５】
汚物処理袋５１の使用が終了すると使用者は、固定ベルト５８を緩めて収納用カセット１４を汚物処理袋５１から分離することができる。そして、収納用カセット１４を汚物処理装置１１の取り付け部１９ｒに取り付ける。なお、収納用カセット１４のうち円筒部２７および外向きフランジ２７ｆは、詰替えフィルム１８の装填の際にも取り付け部１９ｒに取り付けたままにしておけばよい。そしてフィルム押さえフランジ２９のみを詰替えフィルム１８の装填の際に着脱すればよい。本実施例によれば、詰替えフィルム１８を汚物処理装置１１に直接セットすることができることから、詰替えフィルム１８を装填する都度収納用カセット１４を廃棄するという無駄がない。
【００７６】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【００７７】
例えば、フィルム環状体１５ｋが、包装シート２１を除去した後も縮小状態を保持したまま円筒部２７の外周に静置される場合、フィルム押さえフランジ２９を省略することができる。円筒フィルム１５が蛇腹状に整然と折り畳まれてフィルム環状体１５ｋが形成されていれば、フィルム押さえフランジ２９がなくても、収納用カセット１４から筒状フィルム１５が順次繰り出されて円筒部２７の中央孔を通過し、筒状フィルム１５が汚物投入口１６を覆う。
【産業上の利用可能性】
【００７８】
この発明になる詰替フィルムおよび収納用カセット等は、汚物処理装置において有利に利用される。
【符号の説明】
【００７９】
１１  汚物処理装置、１３  汚物収納本体、１４  収納用カセット、１５  筒状フィルム、１５ｋ  フィルム環状体、１６  汚物投入口、１７  収納本体下部、１７ｂ  底部、１８  詰替フィルム、１９  収納本体上部、２１  包装シート、２１ｋ  切り込み線、２３  蓋体、２６  結び目、２７  円筒部、２７ｆ  外向きフランジ、２９  フィルム押さえフランジ、３０  蓋体ヒンジ、３１  本体ヒンジ、３３  密閉用扉、３５  密閉用扉受部、３７  密閉用扉ガイドレール、３９  ばね、５１  汚物処理袋、５２，５３  蓋部、５４，５５  ファスナー、５８  固定ベルト、６０  留め部材、６２  留めバンド、６４  面ファスナー。
【図１】
2011057383.tif 000003
【図２】
2011057383.tif 000004
【図３】
2011057383.tif 000005
【図４】
2011057383.tif 000006
【図５】
2011057383.tif 000007
【図６】
2011057383.tif 000008
【図７】
2011057383.tif 000009
【図８】
2011057383.tif 000010
【図９】
2011057383.tif 000011
【図１０】
2011057383.tif 000012
【図１１】
2011057383.tif 000013
【図１２】
2011057383.tif 000014
【図１３】
2011057383.tif 000015
【図１４】
2011057383.tif 000016
【図１５】
2011057383.tif 000017
【図１６】
2011057383.tif 000018
【図１７】
2011057383.tif 000019